(57)【要約】【課題】本発明は、ラジオ受信機及びラジオ受信機の制御方法に関し、例えば地上ディジタル放送を受信する車載用のラジオ受信機に適用して、ディジタル放送の受信状態の劣化により、ディジタル放送に代えてアナログ放送による番組をユーザーに提供する場合に、ディジタル放送とアナログ放送との切り換えを直感的に把握することができるようにする。【解決手段】本発明は、ディジタル放送による受信状態の劣化により、ディジタル放送による番組に代えてアナログ放送に番組を提供するようにして、これらの切り換えに連動させて表示部の表示色を切り換える。【選択図】        図１
2007123969.tif 000002
【特許請求の範囲】
【請求項１】
ディジタル放送による番組を受信してディジタル放送による音声信号を出力するディジタル放送のチューナー部と、
アナログ放送による番組を受信してアナログ放送による音声信号を出力するアナログ放送のチューナー部と、
前記ディジタル放送による音声信号及びアナログ放送による音声信号を選択出力する選択部と、
少なくとも前記選択部により選択出力する音声信号に係る情報を表示する表示部と、
各部の動作を制御する制御部とを有し、
前記制御部は、
前記ディジタル放送のチューナー部における受信状態の劣化により、
前記ディジタル放送による音声信号に代えて、前記アナログ放送による音声信号を選択出力するように、前記選択部の設定を切り換え制御すると共に、
前記表示部による表示の色彩を切り換える
ことを特徴とするラジオ受信機。
【請求項２】
前記表示部は、
液晶表示パネルと、
前記液晶表示パネルに照明光を供給するバックライトとを有し、
前記バックライトによる前記照明光の色彩の切り換えにより、表示の色彩を切り換える
ことを特徴とする請求項１に記載のラジオ受信機。
【請求項３】
ディジタル放送による番組を受信してディジタル放送による音声信号を出力するディジタル放送のチューナー部と、
アナログ放送による番組を受信してアナログ放送による音声信号を出力するアナログ放送のチューナー部と、
前記ディジタル放送による音声信号及びアナログ放送による音声信号を選択出力する選択部と、
少なくとも前記選択部により選択出力する音声信号に係る情報を表示する表示部とを有するラジオ受信機の制御方法であって、
前記ディジタル放送のチューナー部における受信状態の劣化により、
前記ディジタル放送による音声信号に代えて、前記アナログ放送による音声信号を選択出力するように、前記選択部の設定を切り換えると共に、
前記表示部による表示の色彩を切り換える
ことを特徴とするラジオ受信機の制御方法。
【発明の詳細な説明】
【技術分野】
【０００１】
本発明は、ラジオ受信機及びラジオ受信機の制御方法に関し、例えばＤＡＢ（Digital Audio Broadcasting）による地上ディジタル放送を受信する車載用のラジオ受信機に適用することができる。本発明は、ディジタル放送による受信状態の劣化により、ディジタル放送による番組に代えてアナログ放送に番組を提供するようにして、これらの切り換えに連動させて表示部の表示色を切り換えることにより、ディジタル放送とアナログ放送との切り換えを直感的に把握することができるようにする。
【背景技術】
【０００２】
従来、ヨーロッパ向けの車載用ラジオ受信機は、ＡＭ放送、ＦＭ放送、ＤＡＢ（Digital Audio Broadcasting）（以下、これらの種別をバンドと呼ぶ）を受信するものが提供されている。
【０００３】
ここでＤＡＢは、地上ディジタル放送方式であり、Ｅｕｒｅｋａ１４７規格に従って実用に供されている。ＤＡＢは、１．５〔ＭＨｚ〕の伝送帯域を用いた直交周波数分割多重変調によりデータ圧縮したオーディオデータを放送しており、この１．５〔ＭＨｚ〕の伝送帯域による１つの放送波がアンサンブルと称される。このアンサンブルは、サービスと呼ばれるグループに分割され、ＤＡＢでは、各サービスにより一般の放送局の番組が提供される。
【０００４】
これにより従来の車載用ラジオ受信機では、ユーザーによる操作に応じて、バンド、受信周波数等を切り換え、現在受信中のバンド、受信周波数等を文字により表示していた。
【０００５】
またＤＡＢにより提供される番組は、ＤＡＢのみで提供されている番組の他に、ＦＭ放送等のアナログ放送によっても提供されている番組がある。これによりＤＡＢでは、このようなアナログ放送により提供される番組についてはアナログ放送により受信する場合に比して高音質により聴取することができる。しかしながらＤＡＢでは、アナログ放送に比して、１つの送信設備でサービスを提供可能な範囲が狭い欠点があり、送信設備の設置も未だ不十分な欠点がある。
【０００６】
これにより従来の車載用ラジオ受信機は、このようにＤＡＢとアナログ放送とにより同時に提供される番組については、ＤＡＢを優先してユーザーに提供し、ＤＡＢの受信状態が劣化した場合に、ＤＡＢに代えてアナログ放送による番組をユーザーに提供していた。
【０００７】
このような車載用ラジオ受信機に関して、例えば特開平１０−２２４２４４号公報には、ユーザーによりアナログ放送による番組の受信が指示され、このユーザーにより指示された番組がＤＡＢによっても同時に提供されている場合、アナログ放送による番組に代えてＤＡＢによる番組を提供する方法が提案されている。
【０００８】
ところでＤＡＢの受信状態の劣化により、ＤＡＢに代えてアナログ放送による番組をユーザーに提供する場合、車両の走行によりＤＡＢの受信状態が時々刻々変化すると、車載用ラジオ受信機は、ＤＡＢとアナログ放送とで適宜バンドを切り換えて番組を受信することになる。このような場合にあって、ＤＡＢによる番組を受信している場合には、ＤＡＢによる電子番組表等の各種サービスを利用することができるものの、アナログ放送による番組を受信している場合には、このような各種サービスを利用できなくなる。
【０００９】
これによりユーザーにおいて、このようなバンドの切り換えを直感的に把握できることが望まれるが、このようなバンドの切り換えは、番組を聴取しているだけでは判らない場合が多く、さらに従来の受信中のバンドに係る文字表示によっては、直感的に把握できない問題がある。
【特許文献１】特開平１０−２２４２４４号公報
【発明の開示】
【発明が解決しようとする課題】
【００１０】
本発明は以上の点を考慮してなされたもので、ディジタル放送の受信状態の劣化により、ディジタル放送に代えてアナログ放送による番組をユーザーに提供する場合に、ディジタル放送とアナログ放送との切り換えを直感的に把握することができるラジオ受信機及びラジオ受信機の制御方法を提案しようとするものである。
【課題を解決するための手段】
【００１１】
かかる課題を解決するため請求項１の発明は、ラジオ受信機に適用して、ディジタル放送による番組を受信してディジタル放送による音声信号を出力するディジタル放送のチューナー部と、アナログ放送による番組を受信してアナログ放送による音声信号を出力するアナログ放送のチューナー部と、前記ディジタル放送による音声信号及びアナログ放送による音声信号を選択出力する選択部と、少なくとも前記選択部により選択出力する音声信号に係る情報を表示する表示部と、各部の動作を制御する制御部とを有し、前記制御部は、前記ディジタル放送のチューナー部における受信状態の劣化により、前記ディジタル放送による音声信号に代えて、前記アナログ放送による音声信号を選択出力するように、前記選択部の設定を切り換え制御すると共に、前記表示部による表示の色彩を切り換える。
【００１２】
また請求項３の発明は、ディジタル放送による番組を受信してディジタル放送による音声信号を出力するディジタル放送のチューナー部と、アナログ放送による番組を受信してアナログ放送による音声信号を出力するアナログ放送のチューナー部と、前記ディジタル放送による音声信号及びアナログ放送による音声信号を選択出力する選択部と、少なくとも前記選択部により選択出力する音声信号に係る情報を表示する表示部とを有するラジオ受信機の制御方法に適用して、前記ディジタル放送のチューナー部における受信状態の劣化により、前記ディジタル放送による音声信号に代えて、前記アナログ放送による音声信号を選択出力するように、前記選択部の設定を切り換えると共に、前記表示部による表示の色彩を切り換える。
【００１３】
請求項１の構成により、ラジオ受信機に適用して、ディジタル放送による番組を受信してディジタル放送による音声信号を出力するディジタル放送のチューナー部と、アナログ放送による番組を受信してアナログ放送による音声信号を出力するアナログ放送のチューナー部と、前記ディジタル放送による音声信号及びアナログ放送による音声信号を選択出力する選択部と、少なくとも前記選択部により選択出力する音声信号に係る情報を表示する表示部と、各部の動作を制御する制御部とを有し、前記制御部は、前記ディジタル放送のチューナー部における受信状態の劣化により、前記ディジタル放送による音声信号に代えて、前記アナログ放送による音声信号を選択出力するように、前記選択部の設定を切り換え制御すると共に、前記表示部による表示の色彩を切り換えれば、いちいち表示部を注視しなくても、バンドの切り換えを確認することができ、ディジタル放送とアナログ放送との切り換えを直感的に把握することができる。
【００１４】
これにより請求項３の構成によれば、ディジタル放送の受信状態の劣化により、ディジタル放送に代えてアナログ放送による番組をユーザーに提供する場合に、ディジタル放送とアナログ放送との切り換えを直感的に把握することができるラジオ受信機の制御方法を提供することができる。
【発明の効果】
【００１５】
本発明によれば、ディジタル放送の受信状態の劣化により、ディジタル放送に代えてアナログ放送による番組をユーザーに提供する場合に、ディジタル放送とアナログ放送との切り換えを直感的に把握することができる。
【発明を実施するための最良の形態】
【００１６】
以下、適宜図面を参照しながら本発明の実施例を詳述する。
【実施例１】
【００１７】
（１）実施例の構成
図２は、本発明の実施例に係る車載用ラジオ受信機を示すブロック図である。この車載用ラジオ受信機１において、ＤＡＢチューナー部２は、マイクロコンピュータ（マイコン）３の制御により、アンテナ４で受信される多数の放送波からユーザーの所望するサービスに係るアンサンブルの放送波を選局して中間周波信号に変換する。またこの中間周波信号をアナログディジタル変換処理、直交復調処理、高速フーリエ変換処理、誤り訂正処理した後、ユーザーの所望するサービスに係るオーディオデータを選択してデータ伸長し、音声信号Ｓ１を出力する。また電子番組表等の各種サービスに係るデータ、各サービスのビットレートのデータ等を取得してマイクロコンピュータ３に通知する。
【００１８】
これらの処理において、ＤＡＢチューナー部２は、誤り訂正処理においてビット誤りを訂正することが困難になると、音声信号Ｓ１をミューティングして出力する。また受信しているアンサンブルのエラーレートを検出してマイクロコンピュータ３に通知する。これによりＤＡＢチューナー部２は、ＤＡＢによる番組を受信して出力し、またこの番組に係る受信状態をマイクロコンピュータ３に通知する。
【００１９】
ＦＭチューナー部５は、マイクロコンピュータ３の制御により、アンテナ６で受信される多数の放送波から、ユーザーの所望する番組に係る放送波を選局して中間周波信号に変換する。またこの中間周波信号を検波し、この検波結果による音声信号Ｓ２を出力する。これらの処理においてＦＭチューナー部５は、中間周波信号の検波時、受信する放送波の電界強度に応じて信号レベルが変化する電界強度検出信号Ｓ３を生成し、この電界強度検出信号Ｓ３をマイクロコンピュータ３に通知する。これによりＦＭチューナー部５は、アナログ放送による番組を受信して出力し、またこの番組に係る受信状態を検出してマイクロコンピュータ３に通知する。
【００２０】
選択回路７は、マイクロコンピュータ３の制御により、ＤＡＢチューナー部２、ＦＭチューナー部５から出力される音声信号Ｓ１、Ｓ２を選択出力する。この車載用ラジオ受信機１では、この選択回路７から出力される音声信号Ｓ１又はＳ２を図示しない音声信号処理系に入力し、この音声信号処理系により音量、音質を調整してスピーカを駆動する。これにより車載用ラジオ受信機１は、ＤＡＢによる番組又はＦＭ放送による番組を受信してユーザーに番組を提供する。なおこの車載用ラジオ受信機１は、このＤＡＢ、ＦＭ放送に係る構成に加えて、コンパクトディスクなどを再生する構成が設けられる。
【００２１】
ディスプレイドライバ８は、マイクロコンピュータ３の制御によりディスプレイ９を駆動し、ディスプレイ９は、例えば液晶表示装置により形成され、ディスプレイドライバ８による駆動により選択回路７より選択出力する音声信号に係る情報を表示する。すなわち図３に示すように、ディスプレイ９は、横長形状により形成され、ＤＡＢによる番組をユーザーに提供している場合には、一般的な例として図３（Ａ）に示すように、最上段に、受信中のバンド「ＤＡＢ」、受信中のアンサンブルのアンサンブルラベル「ＢＢＣ  ＤＩＧＩＴＡＬ  ＯＮＥ」を表示する。また続く２段目に、番組に係るサービスのサービスラベル「ＢＢＣ  ７」を表示し、続く３段目に、番組に係るアンサンブルの情報及び周波数「５Ａ  １７４．９２８ＭＨｚ」を表示する。
【００２２】
これに対してＦＭ放送による番組をユーザーに提供している場合には、図３（Ｂ）に示すように、最上段に、受信中のバンド「ＦＭ」、マニュアル操作により番組を選択したことを示す表示「ＭＡＮＵＡＬ」を表示し、続く２段目に、受信周波数「１０８．００ＭＨｚ」を表示する。なおディスプレイ９は、ユーザーによる操作に応動して、図３（Ａ）及び（Ｂ）に示す最下段に、ビットレート、エラーレート、時計等を表示したりする。
【００２３】
これらによりディスプレイ９は、現在ユーザーに提供している番組のバンド、受信周波数等を文字表示により表示し、この実施例では、この文字表示の色彩をＤＡＢとアナログ放送とで切り換える。
【００２４】
すなわちディスプレイ９は、バックライトにより液晶表示パネルに照明光を供給するように構成され、このバックライトの一次光源に、発光色の異なる２種類の一次光源が適用される。これによりこのディスプレイ９は、この２種類の一次光源を選択的に点灯して表示の色彩を切り換えることができるように構成される。
【００２５】
この実施例において、ディスプレイ９は、この２種類の一次光源に、アンバー色、緑色の一次光源が適用され、ＦＭ放送による番組をユーザーに提供している場合には、アンバー色の一次光源が選択的に点灯されるのに対し、ＤＡＢによる番組をユーザーに提供している場合には、緑色の一次光源が選択的に点灯される。
【００２６】
またディスプレイ９は、いわゆる白黒の反転表示により、現在ユーザーに提供している番組のバンド、受信周波数等を文字表示により表示し、これによりＦＭ放送による番組をユーザーに提供している場合には、アンバー色の背景に、黒色によりバンド、受信周波数等を文字表示する。これに対してＤＡＢによる番組をユーザーに提供している場合には、緑色の背景に、黒色によりバンド、受信周波数等を文字表示する。これによりこの実施例では、いちいち表示の文字を目視して確認しなくても、直感的に、受信中のバンドを把握できるように構成される。
【００２７】
マイクロコンピュータ３は、図示しないメモリに記録された処理プログラムの実行により、この車載用ラジオ受信機１の動作を制御する演算処理手段である。なおこのマイクロコンピュータ３の処理に係るプログラムは、メモリへの記録により事前にインストールされて提供されるものの、このような事前のインストールによる提供に代えて、インターネット等のネットワークを介したダウンロードにより提供してもよく、また光ディスク、磁気ディスク、メモリカード等の記録媒体により提供してもよい。
【００２８】
ここでマイクロコンピュータ３は、ユーザーによる図示しない操作子の操作により、ＦＭ放送の受信が指示されると、ユーザーによる操作に応動してＦＭチューナー部５によりＦＭ放送による番組を受信する。またＦＭチューナー部５より出力される音声信号Ｓ２を選択するように選択回路７を制御し、これによりＦＭ放送で放送される番組をユーザーに提供する。さらにディスプレイドライバ８の制御により、ディスプレイ９の表示をＦＭ放送用の表示に設定する。
【００２９】
これに対してユーザーによりＤＡＢの受信が指示されると、ＤＡＢチューナー部２の制御によりＤＡＢによる番組を受信する。またＤＡＢチューナー部２より出力される音声信号Ｓ１を選択するように選択回路７を制御し、これによりＤＡＢにより提供される番組をユーザーに提供する。またディスプレイドライバ８の制御により、ディスプレイ９の表示をＦＭ放送用の表示に設定する。
【００３０】
マイクロコンピュータ３は、このようにしてＤＡＢを受信した場合には、ＤＡＢチューナー部２から通知されるデータにより、ＤＡＢによりユーザーに提供している番組がＦＭ放送により同時に提供されているか検索する。またこの検索により、同時に提供されている番組が存在する場合には、ＦＭチューナー部５の動作を立ち上げ、この同時に提供されている番組をＦＭチューナー部５で受信する。マイクロコンピュータ３は、このようにしてＤＡＢとＦＭ放送とで同時に提供される番組をＤＡＢチューナー部２、ＦＭチューナー部５により受信するようにして、図１の処理手順の実行により、ＤＡＢにおける受信状態の劣化により、ＤＡＢに代えてＦＭ放送による番組をユーザーに提供する。
【００３１】
すなわちマイクロコンピュータ３は、この処理手順を開始すると、ステップＳＰ１からステップＳＰ２に移り、ＤＡＢチューナー部２、ＦＭチューナー部５よりそれぞれエラーレート、電界強度検出信号Ｓ３を取得してこれらエラーレート、電界強度検出信号Ｓ３を判定する。ここでマイクロコンピュータ３は、エラーレートが例えば１．０×１０-4以下に劣化している場合には、ＤＡＢによる受信状態が劣化していると判断する。また同様にして電界強度検出信号Ｓ３の信号レベルを判定し、ＦＭ放送の受信状態を判定する。
【００３２】
マイクロコンピュータ３は、続くステップＳＰ３において、ステップＳＰ２の判定結果によりＤＡＢチューナー部２で受信される番組、ＦＭチューナー部５で受信される番組の何れの番組をユーザーに提供するか判断する。ここでマイクロコンピュータ３は、ＤＡＢによる受信状態が劣化していない場合、またＤＡＢ及びＦＭ放送の双方で受信状態が劣化している場合、ＤＡＢチューナー部２で受信される番組をユーザーに提供するように判断し、ステップＳＰ３からステップＳＰ４に移る。
【００３３】
ここでマイクロコンピュータ３は、ＤＡＢチューナー部２から出力される音声信号Ｓ１を選択出力するように、選択回路７の動作を制御する。またディスプレイ９の表示がＤＡＢ用の表示となるようにディスプレイドライバ８の動作を制御し、ステップＳＰ２に戻る。
【００３４】
これに対してＤＡＢで受信状態の劣化が検出され、ＦＭ放送による受信状態が劣化していない場合、マイクロコンピュータ３は、ステップＳＰ３からステップＳＰ５に移り、ＦＭチューナー部５から出力される音声信号Ｓ２を選択出力するように、選択回路７の動作を制御する。またディスプレイ９の表示がＦＭ放送用の表示となるようにディスプレイドライバ８の動作を制御し、ステップＳＰ２に戻る。
【００３５】
（２）実施例の動作
以上の構成において、車載用ラジオ受信機１において、ＦＭ放送による番組をユーザーに提供する場合、アンテナ６で受信される放送波から所望する番組に係る放送波が選局されて中間周波信号に変換され、この中間周波信号の検波によりＦＭ放送による音声信号Ｓ２が取得され、この音声信号Ｓ２が選択回路７を介して音声信号処理系に出力されてスピーカが駆動される。これにより車載用ラジオ受信機１では、ＦＭ放送による番組を鑑賞することが可能となる。
【００３６】
これに対してＤＡＢによる番組をユーザーに提供する場合、アンテナ４で受信される放送波から所望する番組に係る放送波が選局されて中間周波信号に変換され、この中間周波信号の処理によりＤＡＢによる音声信号Ｓ１が取得され、この音声信号Ｓ１が選択回路７を介して音声信号処理系に出力されてスピーカが駆動される。これにより車載用ラジオ受信機１では、ＤＡＢによる番組を鑑賞することが可能となる。
【００３７】
さらに車載用ラジオ受信機１において、このようにしてＤＡＢによる番組をユーザーに提供する場合、ＤＡＢチューナー部２で検出されるエラーレートによりＤＡＢによる受信状態の劣化が監視される。また同時にＦＭ放送により提供されている番組の受信状態が、ＦＭチューナー部５における電界強度の監視により検出される。車載用ラジオ受信機１では、これらによりＤＡＢによる受信状態が劣化し、かつＦＭ放送による受信状態が良好な場合、選択回路７の設定が切り換えられ、ＤＡＢによる番組に代えて、ＦＭ放送による番組がユーザーに提供される。これによりこの車載用ラジオ受信機１では、走行してＤＡＢによる受信状態が時々刻々変化した場合でも、所望する番組を継続して観賞することができる。
【００３８】
しかしながらこのようにＤＡＢによる受信状態の劣化により、ＤＡＢによる番組に代えて、ＦＭ放送による番組をユーザーに提供する場合、ユーザーにおいては、ＦＭ放送による番組が提供されているにも係わらず、ＤＡＢによるサービスを利用しようとして、このラジオ受信機１を操作する場合も発生する。この場合に、単に、ディスプレイ９により、選択回路７から選択出力する音声信号に係る情報を単に表示しているだけの場合、ディスプレイ９を注視しなければ、このような状況を把握できないことになる。
【００３９】
このためこのラジオ受信機１では、ＤＡＢによるサービスを提供している場合と、ＦＭ放送による番組をユーザーに提供している場合とで、ディスプレイ９の表示色が切り換えられる。これによりユーザーは、いちいちディスプレイ９を注視しなくても、ディスプレイ９を一見して現在受信中のバンドを確認することができる。これによりこのラジオ受信機１では、ディジタル放送の受信状態の劣化により、ディジタル放送に代えてアナログ放送による番組をユーザーに提供する場合に、ディジタル放送とアナログ放送との切り換えを直感的に把握することができる。
【００４０】
このラジオ受信機１では、このような表示色の切り換えが、液晶表示装置によるディスプレイ９のバックライトの切り換えにより実行され、これにより簡易かつ確実に表示色を切り換えることができる。
【００４１】
（３）実施例の効果
以上の構成によれば、ディジタル放送による受信状態の劣化により、ディジタル放送による番組に代えてアナログ放送に番組を提供するようにして、これらの切り換えに連動させて表示部の表示色を切り換えることにより、ディジタル放送とアナログ放送との切り換えを直感的に把握することができる。
【００４２】
またこの表示色の切り換えを、バックライトの切り換えにより実行することにより、簡易かつ確実に表示色を切り換えることができる。
【実施例２】
【００４３】
なお上述の実施例においては、背景色の切り換えにより表示色を切り換える場合について述べたが、本発明はこれに限らず、文字表示の色自体を切り換えるようにしてもよい。また表示部の一部分だけ表示色を切り換えるようにしてもよい。
【００４４】
また上述の実施例においては、表示色の切り換えを、バックライトの切り換えにより実行する場合について述べたが、本発明はこれに限らず、カラー表示の液晶表示パネルを適用して液晶表示パネルの駆動の切り換えにより表示色を切り換えるようにしてもよい。
【００４５】
また上述の実施例においては、液晶表示装置により表示部を構成する場合について述べたが、本発明はこれに限らず、例えばＥＬ、ＦＥＤ、蛍光表示管等、種々の表示手段を広く適用することができる。
【００４６】
また上述の実施例においては、ＤＡＢとＦＭ放送とでバンドを切り換える場合について述べたが、本発明はこれに限らず、ディジタル放送とアナログ放送とでバンドを切り換える場合に広く適用することができる。
【産業上の利用可能性】
【００４７】
本発明は、例えばＤＡＢによる地上ディジタル放送を受信する車載用のラジオ受信機に適用することができる。
【図面の簡単な説明】
【００４８】
【図１】本発明の実施例に係るラジオ受信機のマイクロコンピュータの処理手順を示すフローチャートである。
【図２】本発明の実施例に係るラジオ受信機を示すブロック図である。
【図３】図２のラジオ受信機のディスプレイを示す平面図である。
【符号の説明】
【００４９】
１……ラジオ受信機、２……ＤＡＢチューナー部、３……マイクロコンピュータ、５……ＦＭチューナー部、７……選択回路、８……ディスプレイドライバ、９……ディスプレイ
【図１】
2007123969.tif 000003
【図２】
2007123969.tif 000004
【図３】
2007123969.tif 000005